【手続補正書】
【提出日】平成29年3月10日(2017.3.10)
【手続補正１】
【補正対象書類名】特許請求の範囲
【補正対象項目名】全文
【補正方法】変更
【補正の内容】
【特許請求の範囲】
【請求項１】
電気通信商品取引を行う動的スペクトル仲裁（ＤＳＡ）方法であって、
通信サーバと複数の通信ネットワークとの通信リンクを確立し、
前記通信リンクを介して受信した情報に基づいて、前記複数の通信ネットワークのうちの第１の通信ネットワークの電気通信資源が割当てに使用可能であると前記通信サーバ内で判定し、
前記電気通信資源が競売による割当てに使用可能であることおよび前記競売の開始時間を前記複数の通信ネットワークに知らせる通信信号をブロードキャストし、
資源要求に関する地理的領域の種類、無線アクセス技術、動作周波数、帯域幅の量、前記電気通信資源を使用する持続時間、開始時間及び終了時間を特定する資格情報を前記複数の通信ネットワークから受信し、
前記複数の通信ネットワークのうち、第２の通信ネットワークを含む少なくとも一つのネットワークが前記競売に参加する資格があると判定するために前記受信した資格情報を使用し、
割当てに使用可能だと判定された前記電気通信資源に対する入札を前記複数の通信ネットワークから受け取り、
受け取った入札に基づき、前記複数の通信ネットワーク内の第２の通信ネットワークによるアクセスおよび使用のために前記第１の通信ネットワークの前記電気通信資源を割り当て、
通信メッセージをブロードキャストすることに応答して、前記ブロードキャスト通信信号に含まれる前記競売開始時刻の後に、割り当てられた電気通信資源の使用を開始してもよいことを前記第２の通信ネットワークに知らせ、
前記競売に参加する資格があると判定された前記複数の通信ネットワークから受信した入札のみ受諾し、
受諾された入札に基づいて、前記第１の通信ネットワークの前記電気通信資源を、前記複数の通信ネットワークにおける前記第２の通信ネットワークによるアクセス及び使用のために割り当て、
前記第２の通信ネットワークに、割り当てられた電気通信資源の使用が始まることを前記第２の通信ネットワークに通知するのに適した情報を含む通信メッセージを送信し、
前記第２の通信ネットワークによる使用のために割り当てられた前記電気通信資源を明らかにするトランザクションをトランザクションデータベース内に記録すること
を含む、ＤＳＡ方法。
【請求項２】
前記第１の通信ネットワークの前記電気通信資源が割当てに使用可能であると前記通信サーバ内で判定することが、
前記電気通信資源が将来の日時において割当てに使用可能であると判定すること
を含む、請求項１に記載のＤＳＡ方法。
【請求項３】
割当てに使用可能だと判定された前記電気通信資源に対する入札を前記複数の通信ネットワークから受け取ることが、
前記将来の日時において決定される前記電気通信資源のアクセスおよび使用のための入札を受け取ること
を含む、請求項２に記載のＤＳＡ方法。
【請求項４】
受け取った入札に基づき、前記複数の通信ネットワーク内の前記第２の通信ネットワークによるアクセスおよび使用のために前記第１の通信ネットワークの前記電気通信資源を割り当てることが、
前記将来の日時において、前記第２の通信ネットワークによるアクセスおよび使用のために前記第１の通信ネットワークの前記電気通信資源を割り当てること
を含む、請求項３に記載のＤＳＡ方法。
【請求項５】
前記競売に参加する資格があると判定された、承認されたネットワークから受信した入札のみ受諾することは、
前記電気通信資源が前記複数の通信ネットワークのそれぞれと互換性があるかどうかを判定することと、
前記電気通信資源との互換性に基づき、前記電気通信商品取引に参加する資格があるとして前記複数の通信ネットワーク内のネットワークを承認することと、
前記承認されたネットワークからの入札だけを受諾することと
をさらに含む、請求項１に記載のＤＳＡ方法。
【請求項６】
前記割り当てられた電気通信資源の返還を要求することと、
前記電気通信資源が第２の競売による再割当てに使用可能であることを前記複数の通信ネットワークに知らせる第２の通信信号をブロードキャストすることと
をさらに含む、請求項１に記載のＤＳＡ方法。
【請求項７】
電気通信商品取引による電気通信資源の動的スペクトル仲裁を実現するための通信サーバであって、
第１の通信ネットワークおよび第２の通信ネットワークと通信するためのネットワーク通信回路と、
メモリと、
前記メモリおよび前記ネットワーク通信回路に結合されるプロセッサであって、
通信サーバと複数の通信ネットワークとの通信リンクを確立すること、
前記通信リンクを介して受信した情報に基づいて、前記複数の通信ネットワークのうちの第１の通信ネットワークの電気通信資源が割当てに使用可能であると判定すること、
前記電気通信資源が競売による割当てに使用可能であることおよび前記競売の開始時間を複数の通信ネットワークに知らせる通信信号をブロードキャストすること、
資源要求に関する地理的領域の種類、無線アクセス技術、動作周波数、帯域幅の量、前記電気通信資源を使用する持続時間、開始時間及び終了時間を特定する資格情報を前記複数の通信ネットワークから受信すること、
前記複数の通信ネットワークのうち、第２の通信ネットワークを含む少なくとも一つのネットワークが前記競売に参加する資格があると判定するために前記受信した資格情報を使用すること、
割当てに使用可能だと判定された前記電気通信資源に対する入札を前記複数の通信ネットワークから受け取ること、
受け取った入札に基づき、前記複数の通信ネットワーク内の第２の通信ネットワークによるアクセスおよび使用のために前記第１の通信ネットワークの前記電気通信資源を割り当てること、
通信メッセージをブロードキャストすることに応答して、前記ブロードキャスト通信信号に含まれる前記競売開始時刻の後に、割り当てられた電気通信資源の使用を開始してもよいことを前記第２の通信ネットワークに知らせること、
前記競売に参加する資格があると判定された前記複数の通信ネットワークから受信した入札のみ受諾すること、
受諾された入札に基づいて、前記第１の通信ネットワークの前記電気通信資源を、前記複数の通信ネットワークにおける前記第２の通信ネットワークによるアクセス及び使用のために割り当てること、
前記第２の通信ネットワークに、割り当てられた電気通信資源の使用が始まることを前記第２の通信ネットワークに通知するのに適した情報を含む通信メッセージを送信すること、および
前記第２の通信ネットワークによる使用のために割り当てられた前記電気通信資源を明らかにするトランザクションをトランザクションデータベース内に記録すること
を含む操作を実行するためのプロセッサ実行可能命令で構成される、プロセッサと
を含む、通信サーバ。
【請求項８】
前記第１の通信ネットワークの前記電気通信資源が割当てに使用可能であると判定することが、
前記電気通信資源が将来の日時において割当てに使用可能であると判定すること
を含むように操作を実行するためのプロセッサ実行可能命令で前記プロセッサが構成される、請求項７に記載の通信サーバ。
【請求項９】
割当てに使用可能だと判定された前記電気通信資源に対する入札を前記複数の通信ネットワークから受け取ることが、
前記将来の日時において決定される前記電気通信資源のアクセスおよび使用のための入札を受け取ること
を含むように操作を実行するためのプロセッサ実行可能命令で前記プロセッサが構成される、請求項８に記載の通信サーバ。
【請求項１０】
受け取った入札に基づき、前記複数の通信ネットワーク内の前記第２の通信ネットワークによるアクセスおよび使用のために前記第１の通信ネットワークの前記電気通信資源を割り当てることが、
前記将来の日時において、前記第２の通信ネットワークによるアクセスおよび使用のために前記第１の通信ネットワークの前記電気通信資源を割り当てること
を含むように操作を実行するためのプロセッサ実行可能命令で前記プロセッサが構成される、請求項９に記載の通信サーバ。
【請求項１１】
前記競売に参加する資格があると判定された、承認されたネットワークから受信した入札のみ受諾することは、
前記電気通信資源が前記複数の通信ネットワークのそれぞれと互換性があるかどうかを判定すること、
前記電気通信資源との互換性に基づき、前記電気通信商品取引に参加する資格があるとして前記複数の通信ネットワーク内のネットワークを承認すること、および
前記承認されたネットワークからの入札だけを受諾すること
をさらに含む操作を実行するためのプロセッサ実行可能命令で前記プロセッサが構成される、請求項７に記載の通信サーバ。
【請求項１２】
前記割り当てられた電気通信資源の返還を要求すること、および
前記電気通信資源が第２の競売による再割当てに使用可能であることを前記複数の通信ネットワークに知らせる第２の通信信号をブロードキャストすること
をさらに含む操作を実行するためのプロセッサ実行可能命令で前記プロセッサが構成される、請求項７に記載の通信サーバ。
【請求項１３】
電気通信商品取引を行うための動的スペクトル仲裁（ＤＳＡ）操作をプロセッサに実行させるように構成されるプロセッサ実行可能ソフトウェア命令を記憶する、非一時的コンピュータ読み取り可能な記憶媒体であって、前記操作が、
通信サーバと複数の通信ネットワークとの通信リンクを確立すること、
前記通信リンクを介して受信した情報に基づいて、前記複数の通信ネットワークのうちの第１の通信ネットワークの電気通信資源が割当てに使用可能であると判定すること、
前記電気通信資源が競売による割当てに使用可能であることおよび前記競売の開始時間を複数の通信ネットワークに知らせる通信信号をブロードキャストすること、
資源要求に関する地理的領域の種類、無線アクセス技術、動作周波数、帯域幅の量、前記電気通信資源を使用する持続時間、開始時間及び終了時間を特定する資格情報を前記複数の通信ネットワークから受信すること、
前記複数の通信ネットワークのうち、第２の通信ネットワークを含む少なくとも一つのネットワークが前記競売に参加する資格があると判定するために前記受信した資格情報を使用すること、
割当てに使用可能だと判定された前記電気通信資源に対する入札を前記複数の通信ネットワークから受け取ること、
受け取った入札に基づき、前記複数の通信ネットワーク内の第２の通信ネットワークによるアクセスおよび使用のために前記第１の通信ネットワークの前記電気通信資源を割り当てること、
通信メッセージをブロードキャストすることに応答して、前記ブロードキャスト通信信号に含まれる前記競売開始時刻の後に、割り当てられた電気通信資源の使用を開始してもよいことを前記第２の通信ネットワークに知らせること、
前記競売に参加する資格があると判定された前記複数の通信ネットワークから受信した入札のみ受諾すること、
受諾された入札に基づいて、前記第１の通信ネットワークの前記電気通信資源を、前記複数の通信ネットワークにおける前記第２の通信ネットワークによるアクセス及び使用のために割り当てること、
前記第２の通信ネットワークに、割り当てられた電気通信資源の使用が始まることを前記第２の通信ネットワークに通知するのに適した情報を含む通信メッセージを送信すること、および
前記第２の通信ネットワークによる使用のために割り当てられた前記電気通信資源を明らかにするトランザクションをトランザクションデータベース内に記録すること
を含む、非一時的コンピュータ読み取り可能な記憶媒体。
【請求項１４】
前記第１の通信ネットワークの前記電気通信資源が割当てに使用可能であることが、
前記電気通信資源が将来の日時において割当てに使用可能であると判定すること
を含むように操作をプロセッサに実行させるよう、前記記憶されたプロセッサ実行可能ソフトウェア命令が構成される、請求項１３に記載の非一時的コンピュータ読み取り可能な記憶媒体。
【請求項１５】
割当てに使用可能だと判定された前記電気通信資源に対する入札を前記複数の通信ネットワークから受け取ることが、
前記将来の日時において決定される前記電気通信資源のアクセスおよび使用のための入札を受け取ること
を含むように操作をプロセッサに実行させるよう、前記記憶されたプロセッサ実行可能ソフトウェア命令が構成される、請求項１４に記載の非一時的コンピュータ読み取り可能な記憶媒体。
【請求項１６】
受け取った入札に基づき、前記複数の通信ネットワーク内の前記第２の通信ネットワークによるアクセスおよび使用のために前記第１の通信ネットワークの前記電気通信資源を割り当てることが、
前記将来の日時において、前記第２の通信ネットワークによるアクセスおよび使用のために前記第１の通信ネットワークの前記電気通信資源を割り当てること
を含むように操作をプロセッサに実行させるよう、前記記憶されたプロセッサ実行可能ソフトウェア命令が構成される、請求項１５に記載の非一時的コンピュータ読み取り可能な記憶媒体。
【請求項１７】
前記競売に参加する資格があると判定された、承認されたネットワークから受信した入札のみ受諾することは、
前記電気通信資源が前記複数の通信ネットワークのそれぞれと互換性があるかどうかを判定すること、
前記電気通信資源との互換性に基づき、前記電気通信商品取引に参加する資格があるとして前記複数の通信ネットワーク内のネットワークを承認すること、および
前記承認されたネットワークからの入札だけを受諾すること
をさらに含む操作をプロセッサに実行させるように前記記憶されたプロセッサ実行可能ソフトウェア命令が構成される、請求項１３に記載の非一時的コンピュータ読み取り可能な記憶媒体。
【請求項１８】
前記割り当てられた電気通信資源の返還を要求すること、および
前記電気通信資源が第２の競売による再割当てに使用可能であることを前記複数の通信ネットワークに知らせる第２の通信信号をブロードキャストすること
をさらに含む操作をプロセッサに実行させるように前記記憶されたプロセッサ実行可能ソフトウェア命令が構成される、請求項１３に記載の非一時的コンピュータ読み取り可能な記憶媒体。